(57)【要約】  本開示の実施形態は、製品トレーサビリティチェーン情報を処理するための方法、装置、および電子デバイスを提供する。方法は、製品のトレーサビリティチェーンに関連付けられる１または複数の処理段階を決定する段階と、トレーサビリティチェーンの１または複数の処理段階の各々に関連付けられるビデオ情報を取得する段階と、１または複数の処理段階の各々に関連付けられるビデオ情報を接合して、製品のトレーサビリティビデオを生成する段階とを含む。
2021525909.tif 000002
【特許請求の範囲】
【請求項１】
製品トレーサビリティチェーン情報を処理するための方法であって、
関連する画像情報および／またはビデオ情報を、指定製品のトレーサビリティチェーンの各処理段階で取得する段階と、
前記関連する画像情報および／またはビデオ情報を、前記指定製品の前記トレーサビリティチェーンの各処理段階で継ぎ合わせて、前記指定製品のトレーサビリティビデオを生成する段階と
を備える方法。
【請求項２】
関連する画像情報および／またはビデオ情報を、指定製品のトレーサビリティチェーンの各処理段階で取得する前記段階は、
前記指定製品の処理段階ごとに責任エンティティによりキャプチャされ、かつ、予め設定されたキャプチャルールを満たす、前記指定製品のビデオ情報を受信する段階
を有する、請求項１に記載の方法。
【請求項３】
前記関連する画像情報および／またはビデオ情報を、前記指定製品の前記トレーサビリティチェーンの各処理段階で継ぎ合わせて、前記指定製品のトレーサビリティビデオを生成する前記段階は、
前記関連する画像情報および／またはビデオ情報を各処理段階で継ぎ合わせることにより生成される前記トレーサビリティビデオに対して、予め設定されたトレーサビリティの先頭およびトレーサビリティの末尾を追加することによって、最終的に前記トレーサビリティビデオを生成する段階
を有する、請求項１に記載の方法。
【請求項４】
製品トレーサビリティチェーン情報を処理するための方法であって、
クライアントから送信される、指定製品のトレーサビリティビデオの再生要求を受信する段階と、
前記再生要求に従って、前記指定製品のトレーサビリティチェーン情報用に予めキャプチャされたトレーサビリティビデオを前記クライアントに伝送して、前記クライアントで前記トレーサビリティビデオを再生する段階と
を備える方法。
【請求項５】
クライアントから送信される、指定製品のトレーサビリティビデオの再生要求を受信する前記段階は、
前記指定製品の閲覧ページおよび／または注文ページにおけるユーザによる再生クリック操作に応答して前記クライアントにより生成される前記再生要求を受信する段階、
および／または、
購入される前記指定製品上のＱＲコードをユーザがスキャンすることに応答して前記クライアントにより生成される前記再生要求を受信する段階
を有する、請求項４に記載の方法。
【請求項６】
関連する画像情報および／またはビデオ情報を、前記指定製品のトレーサビリティチェーンの各処理段階で取得する段階と、
前記関連する画像情報および／またはビデオ情報を、前記指定製品の前記トレーサビリティチェーンの各処理段階で継ぎ合わせて、前記指定製品の前記トレーサビリティビデオを生成する段階と
を更に備える請求項４に記載の方法。
【請求項７】
関連する画像情報および／またはビデオ情報を、前記指定製品の前記トレーサビリティチェーンの各処理段階で取得する前記段階は、
前記指定製品の各処理段階の担当者によりキャプチャされ、かつ、予め設定されたキャプチャルールを満たす、前記指定製品のビデオ情報を受信する段階
を有する、請求項６に記載の方法。
【請求項８】
前記関連する画像情報および／またはビデオ情報を、前記指定製品の前記トレーサビリティチェーンの各処理段階で継ぎ合わせて、前記指定製品の前記トレーサビリティビデオを生成する前記段階は、
前記関連する画像情報および／またはビデオ情報を各処理段階で継ぎ合わせることにより生成される前記トレーサビリティビデオに対して、予め設定されたトレーサビリティの先頭およびトレーサビリティの末尾を追加することによって、最終的に前記トレーサビリティビデオを生成する段階
を有する、請求項６に記載の方法。
【請求項９】
前記指定製品は、農産物を含み、
前記指定製品のトレーサビリティチェーンにおける各処理段階は、前記農産物の植え付け段階、処理段階、倉庫保管段階、および物流段階を含む、
請求項４から８の何れか一項に記載の方法。
【請求項１０】
前記指定製品のトレーサビリティビデオを定期的に生成し、現在使用されている前記トレーサビリティビデオを更新する段階
を更に備える請求項４から８の何れか一項に記載の方法。
【請求項１１】
製品トレーサビリティチェーン情報を処理するための装置であって、
関連する画像情報および／またはビデオ情報を、指定製品のトレーサビリティチェーンの各処理段階で取得するように構成されるビデオ取得モジュールと、
前記関連する画像情報および／またはビデオ情報を、前記指定製品の前記トレーサビリティチェーンの各処理段階で継ぎ合わせて、前記指定製品のトレーサビリティビデオを生成するように構成されるビデオ継ぎ合わせモジュールと
を備える装置。
【請求項１２】
製品トレーサビリティチェーン情報を処理するための装置であって、
クライアントから送信される、指定製品のトレーサビリティビデオの再生要求を受信するように構成される要求受信モジュールと、
前記再生要求に従って、前記指定製品のトレーサビリティチェーン情報用に予めキャプチャされたトレーサビリティビデオを前記クライアントに伝送して、前記クライアントで前記トレーサビリティビデオを再生するように構成されるビデオ伝送モジュールと
を備える装置。
【請求項１３】
プログラムを記憶するように構成されるメモリと、
前記メモリに結合されるプロセッサと
を備える電子デバイスであって、
前記プロセッサは、前記プログラムを実行することによって、
関連する画像情報および／またはビデオ情報を、指定製品のトレーサビリティチェーンの各処理段階で取得し、かつ、
前記関連する画像情報および／またはビデオ情報を、前記指定製品の前記トレーサビリティチェーンの各処理段階で継ぎ合わせて、前記指定製品のトレーサビリティビデオを生成する
ように構成される、
電子デバイス。
【請求項１４】
プログラムを記憶するように構成されるメモリと、
前記メモリに結合されるプロセッサと
を備える電子デバイスであって、
前記プロセッサは、前記プログラムを実行することによって、
クライアントから送信される、指定製品のトレーサビリティビデオの再生要求を受信し、かつ、
前記再生要求に従って、前記指定製品のトレーサビリティチェーン情報用に予めキャプチャされたトレーサビリティビデオを前記クライアントに伝送して、前記クライアントで前記トレーサビリティビデオを再生する
ように構成される、
電子デバイス。
【発明の詳細な説明】
【技術分野】
【０００１】
［関連出願の相互参照］
本願は、２０１９年５月２４日に出願された国際出願第ＰＣＴ／ＣＮ２０１９／０８８２４５号の国内段階移行である。この国際出願は、２０１８年６月７日に出願された中国特許出願第２０１８１０５８０５９７．Ｘ号に基づく優先権の利益を主張するものであり、これらの出願はどちらも全体が参照により本明細書に組み込まれる。
【０００２】
本願は、コンピュータ技術の分野、特に、製品トレーサビリティチェーン情報を処理するための方法、装置、および電子デバイスに関する。
【背景技術】
【０００３】
［関連技術］
現在、農業における上流サプライチェーンシステムは、主に、調達、製品選択、品質管理、および物流リンクを中心に構築されている。農産物に対する消費者の信頼が高まるのは、製品の品質規格の強化によるものである。トレーサビリティシステムは、品質規格の確立の中心にある。トレーサビリティシステム全体が、上流サービスチェーンを直列に接続し、全てのバックエンドを消費者体験（ソースの選択＋保存および直接的な供給＋フルチェーンのトレーサビリティ）に変換し、かつ、上流サプライチェーンシステムの様々なビジネスノードにおける標準化および規格化を推進することを担う。
【０００４】
従来の農産物トレーサビリティシステムでは、関連するコンテンツがテキストおよび画像の形態で提示されることが多く、消費者に強い印象を与えるものではない。幾つかのインターネット製品は、宣伝効果はあるが信頼性および相互作用に乏しい、プロモーションビデオ全体をキャプチャすることにより表示される。致命的な欠点は、消費者により購入される製品に基づいてビデオがカスタマイズされていないため、消費者が視聴するビデオのコンテンツが同じであり、信頼性に欠けることである。
【発明の概要】
【０００５】
本開示は、農産物トレーサビリティチェーン情報を処理して、対応する製品のトレーサビリティチェーン情報を、消費者により購入される製品に基づいてカスタマイズ方式で与えることによって、製品の信頼性および魅力を高めるための、方法、装置、および電子デバイスを提供する。
【０００６】
上記の目的を達成するために、本開示の実施形態は、以下の技術的解決策を提供する。
【０００７】
一実施形態では、本開示は、製品トレーサビリティチェーン情報を処理するための方法を提供する。方法は、関連する画像情報および関連するビデオ情報の一方または両方を、製品に関連付けられるトレーサビリティチェーンの各処理段階で取得する段階と、関連する画像情報および関連するビデオ情報の一方または両方を、製品に関連付けられるトレーサビリティチェーンの各処理段階で接合して、製品のトレーサビリティビデオを生成する段階とを含む。
【０００８】
一実施形態では、本開示は、製品トレーサビリティチェーン情報を処理するための方法を提供する。方法は、製品に関連付けられるトレーサビリティビデオのプレイバック要求をクライアントから受信する段階と、プレイバック要求に基づいて、製品に関連付けられるトレーサビリティチェーン情報用に予めキャプチャされたトレーサビリティビデオをクライアントに伝送する段階であって、トレーサビリティビデオはクライアントで再生される、段階とを含む。
【０００９】
一実施形態では、本開示は、製品トレーサビリティチェーン情報を処理するための装置を提供する。装置は、関連する画像情報および関連するビデオ情報の一方または両方を、製品に関連付けられる製品トレーサビリティチェーンの各処理段階で取得するように構成されるビデオ取得モジュールと、関連する画像情報および関連するビデオ情報の一方または両方を、製品に関連付けられるトレーサビリティチェーンの各処理段階で接合して、製品のトレーサビリティビデオを生成するように構成されるビデオ接合モジュールとを含む。
【００１０】
一実施形態では、本開示は、製品トレーサビリティチェーン情報を処理するための装置を提供する。装置は、製品に関連付けられるトレーサビリティビデオのプレイバック要求をクライアントから受信するように構成される要求受信モジュールと、プレイバック要求に基づいて、製品に関連付けられるトレーサビリティチェーン情報用に予めキャプチャされたトレーサビリティビデオをクライアントに伝送するように構成されるビデオ伝送モジュールであって、トレーサビリティビデオはクライアントで再生される、ビデオ伝送モジュールとを含む。
【００１１】
一実施形態では、本開示は、電子デバイスを提供する。電子デバイスは、メモリと、メモリに結合されるプロセッサとを含む。メモリは、プロセッサにより実行されると、関連する画像情報および関連するビデオ情報の一方または両方を、製品に関連付けられるトレーサビリティチェーンの各処理段階で取得するよう電子デバイスに命令するプログラムを記憶し、かつ、関連する画像情報および関連するビデオ情報の一方または両方を、製品に関連付けられるトレーサビリティチェーンの各処理段階で接合して、製品のトレーサビリティビデオを生成するように構成される。
【００１２】
一実施形態では、本開示は、電子デバイスを提供する。電子デバイスは、メモリと、メモリに結合されるプロセッサとを含む。メモリは、プロセッサにより実行されると、製品に関連付けられるトレーサビリティビデオのプレイバック要求をクライアントから受信するよう電子デバイスに命令するプログラムを記憶することと、プレイバック要求に基づいて、製品に関連付けられるトレーサビリティチェーン情報用に予めキャプチャされたトレーサビリティビデオをクライアントに伝送することであって、トレーサビリティビデオはクライアントで再生される、伝送することとを行うように構成される。
【００１３】
本開示により提供される、製品トレーサビリティチェーン情報を処理するための方法、装置、および電子デバイスを用いて、消費者は、製品に関連付けられるトレーサビリティビデオのプレイバック要求を、クライアントを介してサーバに送信することができ、サーバは、受信されたビデオプレイバック要求に基づいて製品のカスタマイズトレーサビリティビデオを自動的に対応付けし、カスタマイズトレーサビリティビデオを再生のために対応するクライアントへ伝送する。この解決策は、製品のトレーサビリティチェーン情報を、消費者により購入される対応する製品に基づいてカスタマイズ方式で提供することによって、製品の信頼性および魅力を高める。
【００１４】
上記の説明は、本開示の技術的解決策の概要に過ぎない。当業者が本開示の技術的側面をより良く理解することで、これらの技術的解決策がより明確かつ容易に実装され得るようにすべく、以下には、上記の説明、本開示の他の目的、特徴、および利点が示されており、その中で本開示の実施形態が説明されている。
【図面の簡単な説明】
【００１５】
利点および利益を更に説明すべく、以下には、本開示の幾つかの実施形態の詳細な説明が示されている。これらの図面は、幾つかの実施形態を示すためだけに使用されており、本開示を限定するものではない。
【００１６】
【図１】本開示の幾つかの実施形態に係る製品トレーサビリティチェーン情報を処理するためのシステムを示す概略図である。
【００１７】
【図２】本開示の幾つかの実施形態に係る製品トレーサビリティチェーン情報を処理するためのシステムを示す概略図である。
【００１８】
【図３】本開示の幾つかの実施形態に係る製品トレーサビリティチェーン情報を処理するための方法を示すフロー図である。
【００１９】
【図４】本開示の幾つかの実施形態に係る製品トレーサビリティチェーン情報を処理するための方法を示すフロー図である。
【００２０】
【図５】本開示の幾つかの実施形態に係る製品トレーサビリティチェーン情報を処理するための方法を示すフロー図である。
【００２１】
【図６】本開示の幾つかの実施形態に係る農産物トレーサビリティチェーン情報の処理を示す概略図である。
【００２２】
【図７】本開示の幾つかの実施形態に係る製品トレーサビリティチェーン情報を処理するための装置を示すブロック図である。
【００２３】
【図８】本開示の幾つかの実施形態に係る製品トレーサビリティチェーン情報を処理するための装置を示すブロック図である。
【００２４】
【図９】本開示の幾つかの実施形態に係る製品トレーサビリティチェーン情報を処理するための装置を示すブロック図である。
【００２５】
【図１０】本開示の幾つかの実施形態に係る電子デバイスを示すブロック図である。
【００２６】
【図１１】本開示の幾つかの実施形態に係る電子デバイスを示すブロック図である。
【発明を実施するための形態】
【００２７】
以下では、添付図面を参照しながら本開示の例示的な実施形態についてより詳細に説明する。添付図面は、本開示の例示的な実施形態を説明する。本開示は様々な形態で実装されてよく、本明細書に記載の実施形態により限定されるべきではないことを理解されたい。代わりに、本開示がより良く理解されるようにこれらの実施形態が提供され、本開示の範囲が当業者に伝えられてよい。
【００２８】
本開示の実施形態は、以下の概念を含む技術的解決策を提供する。
【００２９】
本明細書で使用されるとき、製品トレーサビリティチェーンとは、製造および処理の初期段階から販売業務および物流業務の後期段階までの、製品が通過する全てのリンクを含むチェーンを指す。
【００３０】
本明細書で使用されるとき、トレーサビリティチェーン情報とは、トレーサビリティチェーンの様々な処理段階における製品情報を指す。係る情報は、例えば、製品の製造情報、製品のテスト情報、製造施設情報、製造業情報、および物流情報を含む。製品の製造情報は、製品の製品名、製造業、ブランド、グレード、バッチ番号、製造日、および有効期限を含み得る。製品のテスト情報は、テストの時間、機関、オペレータ、および仕様を含み得る。製造施設情報は、施設の名前、住所、タイプ、エリアサイズ、および環境条件を含み得る。製造業情報は、製造業者の名前、主要製品、組織コード、および連絡先情報を含み得る。物流情報は、物流会社名、貨物運送状番号、および発送者情報を含み得る。
【００３１】
本明細書で使用されるとき、トレーサビリティビデオとは、ビデオ形式でトレーサビリティチェーン情報の全部または一部をキャプチャするビデオを指す。
【００３２】
本明細書で使用されるとき、トレーサビリティビデオクエリコードとは、複数の数字、文字、および記号の固有の識別子の文字列を指し、各文字列は、固有のトレーサビリティビデオに対応する。一例では、消費者は、係る文字列を指定された位置に入力することにより、指定製品のビデオプレイバック要求をクライアントに送信する。
【００３３】
現在、従来の製品追跡方法では通常、テキストと画像との組み合わせでトレーサビリティチェーン情報が示される。消費者は、製品が販売されているオンラインストアのウェブページ上の製品詳細部分にあるトレーサビリティビデオクエリコードと、製品の製造および処理などの特定の処理段階に関連付けられる情報とを閲覧することができる。ただし、係る表示は、形態が単調でコンテンツが比較的不完全であるため、消費者体験が低下する。
【００３４】
現在の技術で製品トレーサビリティチェーン情報を表示する際の制限に対処して、本開示は、製品トレーサビリティチェーン情報を処理するための方法、装置、および電子デバイスを提供する。本開示の概念は、消費者が、製品に関連付けられるトレーサビリティビデオのプレイバック要求を、クライアントを介してサーバに送信することができ、サーバが、受信されたビデオプレイバック要求に基づいて製品のカスタマイズトレーサビリティビデオを自動的に対応付け、そのトレーサビリティビデオを再生のためにクライアントへ返すことにある。本開示の実施形態は、製品のトレーサビリティチェーン情報を、消費者により購入される対応する製品に基づいてカスタマイズ方式で提供することによって、製品の信頼性および魅力を高める。
【００３５】
図１は、本開示の幾つかの実施形態に係る製品トレーサビリティチェーン情報を処理するためのシステムを示す概略図である。幾つかの実施形態では、図１に示されるように、製品トレーサビリティチェーン情報の処理システムが、２つの部分、すなわち、オフライン部分（１０６）およびオンライン部分（１０１）に分割される。
【００３６】
示されるように、オフライン部分（１０６）（例えば、準備段階）は主に、トレーサビリティチェーン上の様々なリンクにおける製品のビデオキャプチャに重点を置く。ビデオキャプチャ（１１２）の間、まず、トレーサビリティチェーン情報が、トレーサビリティチェーン内の主要ノードに基づいて、複数の処理段階により分割される。例えば、果実製品のトレーサビリティチェーンの場合は、果実製品のトレーサビリティチェーン情報が、チェーン上の主要ノードに基づいて、植え付け段階、処理段階、倉庫保管段階、および物流段階に関連付けられる情報（例えば、植え付け、施肥、収穫、承認、選別、包装、保管、検査、梱包、および出荷）に分割される。次に、製品のトレーサビリティチェーン情報がこれらの段階でキャプチャされて、製品の様々な処理段階に対応する複数の短いビデオを生成する。係る短いビデオが接合（１１４）されてトレーサビリティビデオを生成し、トレーサビリティビデオは、サーバ（１０４）が使用するためのビデオデータベース（１０９）に格納される。
【００３７】
幾つかの実施形態では、トレーサビリティチェーンにおける製品の処理段階ごとに、専任の担当者または専門のキャプチャデバイスが、ビデオをキャプチャするように指定される。各段階におけるビデオキャプチャは、その段階におけるトレーサビリティチェーン情報を主に含む。後のビデオ編集のコストを削減し、かつ、ビデオの表示効果を高めるために、ビデオがキャプチャされる前にキャプチャルールが予め構成される。非限定的な例には、輝度、フィルタ、ビデオ形式、ビデオ長、およびファイルサイズなどといったパラメータが含まれる。このように、トレーサビリティチェーンの様々な段階でキャプチャされるビデオは、統一規格のものであり、単純な接合操作により統合され得ることが保証される。一例では、同じ製品の様々な処理段階からのビデオが、これらの段階の順番に接合されて、完成したトレーサビリティビデオになる。別の例では、トレーサビリティビデオの観客を魅了する価値を高めるために、予め設定された冒頭および／または締めくくりが、トレーサビリティビデオへ更に自動的に追加される。
【００３８】
オンライン部分（１０１）（例えば、トレーサビリティチェーン情報の処理工程）は、サーバ（１０４）およびクライアント（１０２）を含む。幾つかの実施形態において、サーバ（１０４）は、消費者からのビデオプレイバック要求に基づいて、カスタマイズトレーサビリティビデオを、クライアント（１０２）で再生するために消費者へ提供する。
【００３９】
複数の実装では、指定製品のトレーサビリティビデオを閲覧しようとする消費者は、様々な方法でビデオプレイバック要求をサーバ（１０４）に送信する。一例では、消費者は、ブラウザページまたはクライアント（１０２）の製品注文ページで製品のトレーサビリティビデオに関連付けられる再生ボタンをクリック（１０３）するか、または、指定製品のトレーサビリティビデオに関連付けられるクイックレスポンス（ＱＲ）コードをスキャン（１０３）するか、または、現在の製品のトレーサビリティビデオクエリコードをクライアント（１０２）で直接入力する。次に、消費者の要求に応答して、クライアント（１０２）は、サーバ（１０４）に要求（１０５）を送信する。サーバ（１０４）は、製品に対応するトレーサビリティビデオを自動的に対応付けし、ビデオを再生のためにクライアント（１０２）へ送信（１０７）する。本技術と比較して、本開示は、指定製品のトレーサビリティビデオを、消費者からの要求に基づいてカスタマイズ方式で提供する。更に、トレーサビリティビデオのコンテンツは、製品を対象としたトレーサビリティチェーン情報を含むため、より信憑性および信頼性のある相互作用体験を消費者に提供する。
【００４０】
図２は、本開示の幾つかの実施形態に係る製品トレーサビリティチェーン情報を処理するためのシステムを示す概略図である。幾つかの実施形態では、図２に示されるように、システムは、クライアント（２１０）およびサーバ（２２０）を含む。
【００４１】
この実施形態では、クライアント（２１０）は、ウェブページを介して実装されるショッピングウェブサイト、または、コンピュータまたは携帯電話にインストールされるショッピングアプリケーションを含む。
【００４２】
この実施形態では、サーバ（２２０）は、クライアント（２１０）に対応するバックエンドサーバを含む。幾つかの実施形態において、サーバ（２２０）は、図１のサーバ（１０４）により処理される論理的手順を実行するように構成される。ここで、サーバ（２２０）は、製品トレーサビリティ情報処理装置（２２２）と、トレーサビリティビデオを格納するように構成されるビデオデータベース（２４０）とを含む。製品トレーサビリティ情報処理装置（２２２）は、要求受信モジュール（２２４）、ビデオ伝送モジュール（２３０）、ビデオ取得モジュール（２２８）、ビデオ接合モジュール（２２６）、およびビデオ更新モジュール（２３２）を含む。
【００４３】
幾つかの実施形態において、要求受信モジュール（２２４）は、指定製品のトレーサビリティビデオのプレイバック要求をクライアントから受信するように構成される。
【００４４】
幾つかの実施形態において、ビデオ伝送モジュール（２３０）は、プレイバック要求に基づいて、指定製品のトレーサビリティチェーン情報用に予めキャプチャされたトレーサビリティビデオをクライアントに伝送するように構成され、トレーサビリティビデオは、クライアントで再生される。
【００４５】
幾つかの実施形態において、ビデオ取得モジュール（２２８）は、関連する画像情報および関連するビデオ情報の一方または両方を、指定製品のトレーサビリティチェーンの各処理段階で取得するように構成される。
【００４６】
幾つかの実施形態において、ビデオ接合モジュール（２２６）は、関連する画像情報および／または関連するビデオ情報を、指定製品のトレーサビリティチェーンの各処理段階で接合して、指定製品のトレーサビリティビデオを生成するように構成される。
【００４７】
幾つかの実施形態において、ビデオ更新モジュール（２３２）は、指定製品のトレーサビリティビデオを定期的に生成し、かつ、使用中のトレーサビリティビデオを更新するように構成される。
【００４８】
幾つかの実装では、製品トレーサビリティチェーンにおける、それぞれの処理段階の専任の担当者、または、それぞれの処理段階でビデオを自動的にキャプチャできる専門のキャプチャデバイスが、製品トレーサビリティチェーン情報用の画像および／またはビデオをキャプチャ（２３６）する。次に、画像および／またはビデオは、ビデオ取得モジュール（２２８）にアップロードされる。ビデオ取得モジュール（２２８）は、様々な処理段階における製品の画像および／または短いビデオを取得する。ビデオ接合モジュール（２２６）は、様々な処理段階における製品の画像および／または短いビデオを接合し、画像および／またはビデオに対するポストプロダクション作業を実行し、例えば、冒頭および締めくくりを追加して、カスタマイズされた製品トレーサビリティビデオを生成する。その後、トレーサビリティビデオは、ビデオデータベース（２４０）に格納される。クライアント（２１０）は、消費者からのビデオプレイバック要求に応答して、サーバ（２２０）の要求受信モジュール（２２４）に要求を送信する。ビデオ伝送モジュール（２３０）は、受信されるビデオプレイバック要求に基づいて指定製品のトレーサビリティビデオをビデオデータベース（２４０）から抽出し、トレーサビリティビデオを再生のためにクライアント（２１０）へ伝送する。ビデオ更新モジュール（２３２）は、指定製品のトレーサビリティビデオを定期的に生成し、かつ、使用中のトレーサビリティビデオを更新するように構成される。
【００４９】
図３は、本開示の幾つかの実施形態に係る製品トレーサビリティチェーン情報を処理するための方法を示すフロー図である。幾つかの実施形態において、方法は、図２のサーバ（２２０）で実行されるか、または、サーバに設けられ、かつ、製品トレーサビリティチェーン情報を処理するように構成される、装置で実行される。一実施形態では、図３に示されるように、製品トレーサビリティチェーン情報を処理するための方法は、以下の段階を含む。
【００５０】
段階Ｓ３１０：関連する画像情報および関連するビデオ情報の一方または両方を、指定製品に関連付けられるトレーサビリティチェーンの各処理段階で取得する。
【００５１】
幾つかの実施形態において、製品の異なるカテゴリに対応する、トレーサビリティチェーン内の異なる処理段階として、製品のトレーサビリティチェーン情報は、製品カテゴリに基づいて処理段階により分割される。一例では、果実製品に関連付けられるトレーサビリティチェーンが、植え付け段階、処理段階、倉庫保管段階、および物流段階へと、その処理手順に基づいて分割される。製品チェーン情報の分割に基づいて、関連する画像および／またはビデオがこれらの段階でキャプチャされて、処理段階ごとに画像および／または短いビデオを生成する。このように、指定製品の対応するトレーサビリティチェーンに関連付けられる処理段階ごとに、画像情報および／またはビデオ情報（例えば、短いビデオ）が取得される。
【００５２】
幾つかの実施形態では、指定製品のそれぞれの処理段階で責任エンティティによりキャプチャされ、かつ、予め設定されたキャプチャルールを満たす、画像および／またはビデオが受信される。
【００５３】
幾つかの実施形態において、責任エンティティは、限定されるわけではないが、キャプチャを自動的に実行できるキャプチャデバイスまたは担当者を含む。例示的なキャプチャ工程では、１または複数の責任エンティティが各処理段階に割り当てられる。幾つかの例において、予め設定されたキャプチャルールは、輝度、フィルタ、画像および／またはビデオの形式、ビデオ長、およびファイルサイズなどといったパラメータを含む。このように、トレーサビリティチェーンの様々な段階でキャプチャされるビデオは、統一形式のものであり、単純な接合操作により統合されてコストを削減し得ることが保証される。他の例では、統一された画像および／またはビデオのキャプチャテンプレートが、画像および／またはビデオのキャプチャ中に直接繰り返し使用するために提供され、後の処理段階におけるビデオ接合の整合性が確保されるため、トレーサビリティビデオの品質が高まる。
【００５４】
段階Ｓ３２０：関連する画像情報および関連するビデオ情報の一方または両方を、指定製品のトレーサビリティチェーンの各処理段階で接合して、指定製品のトレーサビリティビデオを生成する。
【００５５】
幾つかの実施形態において、トレーサビリティチェーンにおける製品の処理段階は、時間的順序で分割される。一例では、果実製品のトレーサビリティチェーンが、植え付け段階、処理段階、倉庫保管段階、および物流段階に分割される。このように、画像および／またはビデオが、これらの段階の順序に基づいて接合されて、ビデオを生成する。これには、植え付け段階の画像情報および／またはビデオ情報、処理段階の画像情報および／またはビデオ情報、倉庫保管段階の画像情報および／またはビデオ情報、並びに、物流段階の画像情報および／またはビデオ情報が、順番に接合されて、ビデオを生成することが含まれる。指定製品の様々な処理段階における関連する画像情報および／またはビデオ情報は、接合されて完成したビデオになる。完成したビデオは、指定製品のカスタマイズトレーサビリティビデオである。幾つかの例では、トレーサビリティビデオ接合の工程において、画像およびビデオを別個に接合して（画像を接合して全体画像にし、ビデオを接合して全体ビデオにして）、トレーサビリティビデオを形成する。他の例では、画像およびビデオを接合して全体コンテンツアイテムにすることで、トレーサビリティビデオを生成する。このように、この解決策では、消費者がクリックまたは購入した製品のカスタマイズトレーサビリティビデオが消費者に提供されるため、製品に対する消費者の信頼が高まり、消費者のブランドの印象が高まる。
【００５６】
幾つかの実施形態では、各処理段階における指定製品の関連する画像情報および／またはビデオ情報を接合することにより生成されるビデオに対して、予め設定されたトレーサビリティの冒頭および締めくくりが追加されて、トレーサビリティビデオを生成する。このように、予め設定された冒頭および締めくくりをトレーサビリティビデオに追加することにより、トレーサビリティビデオの完成度および観客を魅了する価値が更に高まる。
【００５７】
一例では、製品のポスタがトレーサビリティビデオの冒頭として使用され、製品の派生製品（例えば、果実製品で作られたケーキ）がトレーサビリティビデオの締めくくりとして使用されて、製品の全体的な印象が消費者に更に印象付けられる。
【００５８】
本開示の様々な実施形態によれば、製品トレーサビリティチェーン情報を処理するための方法は、製品トレーサビリティチェーンを処理段階により分割し、各段階における画像および／またはビデオを別個にキャプチャした後、接合により、完成したカスタマイズトレーサビリティビデオを生成する。更に、幾つかの実施形態では、予め設定されたキャプチャルールが、様々な段階における画像および／またはビデオに採用される。他の実施形態では、予め設定された冒頭および締めくくりがトレーサビリティビデオに追加される。このように、ビデオの一体化および規格化が達成され、コストが削減され、トレーサビリティビデオの完成度および観客を魅了する価値が高まる。
【００５９】
図４は、本開示の幾つかの実施形態に係る製品トレーサビリティチェーン情報を処理するための方法を示すフロー図である。幾つかの実施形態において、方法は、図２のサーバ（２２０）で実行されるか、または、サーバに設けられ、かつ、製品トレーサビリティチェーン情報を処理するように構成される、装置で実行される。幾つかの実施形態では、図４に示されるように、製品トレーサビリティチェーン情報を処理するための方法は、以下の段階を含む。
【００６０】
段階Ｓ４１０：指定製品のトレーサビリティビデオのプレイバック要求をクライアントから受信する。
【００６１】
複数の実装において、消費者は、ウェブページまたはクライアント上の製品表示ページを閲覧するとき、または、製品を購入したとき、指定製品のトレーサビリティビデオプレイバック要求を様々な方式で送信する。例えば、これらの方式は、限定されるわけではないが、ビデオ再生ボタンのクリック、ＱＲコード（登録商標）またはバーコードのスキャン、またはトレーサビリティビデオクエリコードの入力を含む。クライアントは、消費者からのビデオプレイバック要求に応答して、サーバに要求を送信する。本明細書で使用されるとき、製品は、限定されるわけではないが、農産物、家庭用品、スポーツおよび事務用品、並びに、ハードウェアおよび電化製品などを含む。
【００６２】
段階Ｓ４２０：プレイバック要求に基づいて、指定製品のトレーサビリティチェーン情報用に予めキャプチャされたトレーサビリティビデオをクライアントに伝送する。
【００６３】
幾つかの実施形態において、製品のトレーサビリティチェーン情報は、製造および処理の初期段階から販売および物流の後期段階までの、製品が通過する全てのリンクのチェーンにおける様々な段階での製品処理情報を含む。トレーサビリティビデオは、ビデオの形態でキャプチャされるトレーサビリティチェーン情報の全部または一部を含む。様々な製品のトレーサビリティビデオが予めキャプチャされ、サーバに格納される。サーバが指定製品のトレーサビリティビデオのプレイバック要求をクライアントから受信すると、サーバは、プレイバック要求に基づいてビデオデータベース内の製品に対応するトレーサビリティビデオを自動的に対応付けし、トレーサビリティビデオを再生のためにクライアントへ伝送する。
【００６４】
複数の実装において、トレーサビリティビデオは様々な方法で生成される。一例では、製品の責任エンティティが予め指定されており、責任エンティティは、製品に関連付けられるトレーサビリティチェーンの工程全体を追跡およびキャプチャして、完成したトレーサビリティビデオを直接生成することを担う。代替的に、トレーサビリティチェーンは、製品のトレーサビリティチェーン内の主要ノード情報に基づいて、処理段階により分割される。このように、複数の責任エンティティが、製品の様々な段階における画像／ビデオをキャプチャするように予め指定されており、これらの画像／ビデオに基づいて、完成したトレーサビリティビデオがポストプロダクションで生成される。
【００６５】
更には、トレーサビリティビデオの目標適切性を高めるために、クライアントで最終的に再生されるトレーサビリティビデオは、異なるタイプの製品に対する消費者の異なる関心事に基づいて、完全なトレーサビリティチェーン情報を、またはトレーサビリティチェーン情報の一部のみを表示することができる。例えば、果実製品の場合、消費者は、製品が天然であり、かつ、汚染されていないことを保証するための、植え付け段階および処理段階におけるトレーサビリティチェーン情報に注意を払う傾向がより強い。衣料品の場合、消費者は、スタイルが個人的な美意識を満たし、かつ、材料が品質面で消費者の要件を満たしていることを保証するための、デザイン段階および製造段階に注意を払う傾向がより強い。後者の例では、スタイルおよび材料と比較して、原材料の栽培および加工については、消費者があまり気にしないかもしれない。従って、製品のカテゴリごとに、トレーサビリティビデオのコンテンツの焦点が柔軟に調節される。
【００６６】
本開示の複数の実施形態によれば、製品トレーサビリティチェーン情報を処理するための方法を用いて、消費者は、製品のトレーサビリティビデオのプレイバック要求を、クライアントを介してサーバに送信し、サーバは、受信されたビデオプレイバック要求に基づいて製品のカスタマイズトレーサビリティビデオを自動的に対応付けし、そのトレーサビリティビデオを再生のために対応するクライアントへ伝送する。このように、対応する製品のトレーサビリティチェーン情報を、消費者により購入される製品に基づいてカスタマイズ方式で提供することによって、製品の信頼性および魅力が高まる。
【００６７】
図５は、本開示の幾つかの実施形態に係る製品トレーサビリティチェーン情報を処理するための方法を示すフロー図である。図４に示される実施形態に基づいて、ここには、トレーサビリティビデオプレイバック要求の形態およびトリガタイミングが更に示されている。幾つかの実施形態では、図５に示されるように、製品トレーサビリティチェーン情報を処理するための方法は、以下の段階を含む。
【００６８】
段階Ｓ５１０：指定製品に関連付けられるブラウザページおよび／または注文ページにおけるユーザによるプレイバック操作（例えば、クリックして再生）に応答してクライアントにより生成されるプレイバック要求を受信する。
【００６９】
幾つかの実施形態において、消費者は、クライアントを介して製品表示ページまたは製品注文ページを閲覧する。クライアントは、ウェブページ、または、コンピュータまたは携帯電話で実行されるアプリケーションを含み得る。一例では、消費者は、製品のトレーサビリティチェーン情報に興味があり、かつ、製品について更に知りたいときに、クライアント上に提供される「ビデオプレイバック」ボタンをクリックして、クライアントでのビデオプレイバック操作をトリガする。クライアントは、ビデオプレイバック要求に応答して、サーバがビデオプレイバック要求を受信するようにバックグラウンドサーバに要求を送信する。
【００７０】
他の実施形態では、方法は以下の段階を含み得る。
【００７１】
段階Ｓ５２０：購入される指定製品上のＱＲコードをユーザがスキャンすることに応答してクライアントにより生成されるプレイバック要求を受信する。
【００７２】
幾つかの実施形態において、消費者は、製品を購入したときに、製品上のＱＲコードをスキャンすることにより、製品のトレーサビリティビデオプレイバック要求をクライアントに送信する。この場合は、ＱＲコードは、固有のトレーサビリティビデオに対応する固有の識別子として機能し、固有の識別子は更に、１つの製品または製品のカテゴリに対応する。
【００７３】
複数の実装では、製造業者が、製品のトレーサビリティビデオに対応するＱＲコードを、製品のパッケージまたは製品の物流パッケージに印字またはペーストする。一例において、消費者は、物流流通を通じて製品を購入するかまたは受け取るときに、ＱＲコードをスキャンして、ビデオプレイバック要求をクライアントに直接送信する。別の例において、消費者は、ＱＲコードをスキャンして人間とコンピュータとの相互作用ページにアクセスすることで、クリックなどの操作を介してクライアントにビデオプレイバック要求を送信し、次に、購入される製品のカスタマイズトレーサビリティビデオを視聴する。
【００７４】
以下の段階Ｓ５３０は、段階Ｓ５１０および／または段階Ｓ５２０が実行された後に実行される。
【００７５】
段階Ｓ５３０：プレイバック要求に基づいて、指定製品に関連付けられるトレーサビリティチェーン情報用に予めキャプチャされたトレーサビリティビデオを、クライアントで再生するためにクライアントへ伝送する。
【００７６】
幾つかの実施形態において、段階Ｓ５３０は、コンテンツ面で上記の段階Ｓ４２０と実質的に同様である。
【００７７】
幾つかの実施形態では、この実施形態に係る方法を実行する際に、トレーサビリティビデオは、図３に記載の実施形態を介して生成される。
【００７８】
本開示の複数の実施形態によれば、製品トレーサビリティチェーン情報を処理するための方法を用いて、消費者は、製品のトレーサビリティビデオのプレイバック要求を、クライアントを介してサーバに送信し、サーバは、受信されたビデオプレイバック要求に基づいて製品のカスタマイズトレーサビリティビデオを自動的に対応付けし、そのトレーサビリティビデオを再生のために対応するクライアントへ伝送する。このように、対応する製品のトレーサビリティチェーン情報を、消費者により購入される製品に基づいてカスタマイズ方式で提供することによって、製品の信頼性および魅力が高まる。
【００７９】
更に、本開示の実施形態は、トレーサビリティビデオプレイバック要求の形態およびトリガタイミングを定義することによりビデオプレイバック要求を生成する様々な方法を提供することによって、ユーザ体験を最適化する。
【００８０】
図６は、本開示の幾つかの実施形態に係る農産物トレーサビリティチェーン情報の処理を示す概略図である。幾つかの実施形態では、実行エンティティが図２のサーバ（２２０）である。ここにおよび幾つかの実施形態に示されるように、農産物を使用して、トレーサビリティチェーン情報の処理が示されている。
【００８１】
幾つかの実施形態では、指定製品が農産物を含み、トレーサビリティチェーンにおける指定製品の処理段階は、農産物の植え付け段階、処理段階、倉庫保管段階、および物流段階を含む。
【００８２】
本明細書の図６に示されるように、幾つかのシナリオにおいて、農産物のトレーサビリティチェーン情報を処理するための方法は、以下の段階を含む。
【００８３】
段階１：農産物のカテゴリに基づいて、複数の処理段階により農産物のトレーサビリティチェーン情報を分割する。図６の例に示されるように、果実型農産物の場合は、果実型農産物の製造から販売までの工程が、植え付け段階、処理段階、倉庫保管段階、および物流段階の段階（６０２）に分割され、これらの段階には、複数の処理段階（例えば、主要ノード（６０４））が含まれる。例えば、図６に示されるように、果実型農産物のトレーサビリティチェーン情報では、植え付け段階が、播種、除草、施肥、および収穫を含み、処理段階が、承認、選別、および包装を含み、倉庫保管段階が、倉庫保管および検査を含み、物流段階が、木枠梱包（例えば、梱包）および出荷を含む。様々な実施形態において、農産物のトレーサビリティ情報は、果実、穀物、および野菜などの農産物のカテゴリに基づいて、様々な処理段階により分割される。
【００８４】
段階２および段階３：予め設定されたキャプチャルール（６０８）に基づいて、指定農産物のトレーサビリティチェーン情報における様々な処理段階のビデオ（６１０）をキャプチャする。幾つかの実施形態において、予め設定されたキャプチャルールは、画像および／またはビデオの形式、画像および／またはビデオのコンテンツ、ビデオ長、画像および／またはビデオのアスペクト比、ビデオフィルタ、および光を含む。更には、統一された画像および／またはビデオのテンプレートが提供されて、後の処理段階におけるビデオ接合の整合性が確保されるため、ビデオの品質が高まる。
【００８５】
段階４および段階５：農産物のトレーサビリティチェーンの処理段階に対応する関連する画像情報および／またはビデオ情報をサーバにアップロード（６１２）する。サーバはビデオ情報を受信し、その形式およびコンテンツを調査する。画像情報および／またはビデオ情報が承認された後、システムは、様々な農産物の処理段階の画像情報および／またはビデオ情報を自動的に接合し、予め設定されたトレーサビリティの冒頭および締めくくり（例えば、先頭および末尾）を追加（６１４）して、完成したトレーサビリティビデオを包装後に生成（６１６）する。
【００８６】
段階６（不図示）：消費者は、農産物ページまたは製品注文ページを閲覧するときに、ページ上の予め設定されたビデオ再生ボタンをクリックすることにより、ビデオプレイバック要求を送信する。代替的に、農産物を購入した消費者は、製品上のＱＲコードをスキャンすることにより、クライアントにビデオプレイバック要求を送信する。
【００８７】
段階７（不図示）：サーバは、ビデオプレイバック要求を受信し、要求に基づいて、指定農産物のトレーサビリティビデオを検索し、クライアントが消費者のためにビデオを再生するように、クライアントにトレーサビリティビデオを送信する。
【００８８】
幾つかの実施形態において、サーバは更に、指定製品のトレーサビリティビデオを定期的に生成し、使用中のトレーサビリティビデオを更新する。結果として、ユーザのニーズを満たすために、トレーサビリティビデオが、対応する製品でリアルタイムに適時更新されることが保証される。
【００８９】
本開示の複数の実施形態によれば、製品トレーサビリティチェーン情報を処理するための方法は、対応する製品のトレーサビリティチェーン情報を、消費者により購入される製品に基づいてカスタマイズ方式で提供する方法を説明するために、農産物の例を用いて示されている。このように、製品の信頼性および魅力が高まる。
【００９０】
図７は、本開示の幾つかの実施形態に係る製品トレーサビリティチェーン情報を処理するための装置を示すブロック図である。幾つかの実施形態において、製品トレーサビリティチェーン情報を処理するための装置は、図１のサーバ（１０４）または図２のサーバ（２２０）に提供され、図３の方法を実行するように構成される。装置は、ビデオ取得モジュール（７１０）およびビデオ接合モジュール（７２０）を含む。
【００９１】
ビデオ取得モジュール（７１０）は、関連する画像情報および関連するビデオ情報の一方または両方を、指定製品のトレーサビリティチェーンの各処理段階で取得するように構成される。
【００９２】
ビデオ接合モジュール（７２０）は、関連する画像情報および関連するビデオ情報の一方または両方を、指定製品のトレーサビリティチェーンの各処理段階で接合して、指定製品のトレーサビリティビデオを生成するように構成される。
【００９３】
幾つかの実施形態において、ビデオ取得モジュール（７１０）は更に、指定製品の処理段階ごとに責任エンティティによりキャプチャされ、かつ、予め設定されたキャプチャルールを満たす、指定製品のビデオ情報を受信するように構成される。
【００９４】
幾つかの実施形態において、ビデオ接合モジュール（７２０）は更に、関連する画像情報および／またはビデオ情報を各処理段階で接合することにより生成されるビデオに対して、予め設定された冒頭および締めくくりを追加して、トレーサビリティビデオを生成するように構成される。
【００９５】
本開示の複数の実施形態によれば、製品トレーサビリティチェーン情報を処理するための装置は、製品トレーサビリティチェーンを処理段階により分割し、各段階の画像および／またはビデオを別個にキャプチャし、接合により、完成したカスタマイズトレーサビリティビデオを生成する。更には、予め設定されたキャプチャルールが、様々な段階における画像および／またはビデオに採用される、および／または、予め設定された冒頭および締めくくりが、トレーサビリティビデオに追加される。従って、ビデオの一体化および規格化が達成されることにより、コストが削減され、トレーサビリティビデオの完成度および観客を魅了する価値が高まる。
【００９６】
図８は、本開示の幾つかの実施形態に係る製品トレーサビリティチェーン情報を処理するための装置を示すブロック図である。幾つかの実施形態において、製品トレーサビリティチェーン情報を処理するための装置は、図１のサーバ（１０４）または図２のサーバ（２２０）に提供され、図４の方法を実行するように構成される。装置は、要求受信モジュール（８１０）およびビデオ伝送モジュール（８２０）を含む。
【００９７】
要求受信モジュール（８１０）は、指定製品のトレーサビリティビデオのプレイバック要求をクライアントから受信するように構成される。
【００９８】
ビデオ伝送モジュール（８２０）は、プレイバック要求に基づいて、指定製品のトレーサビリティチェーン情報用に予めキャプチャされたトレーサビリティビデオをクライアントに伝送するように構成され、トレーサビリティビデオは、クライアントで再生される。
【００９９】
幾つかの実施形態において、要求受信モジュール（８１０）は更に、指定製品に関連付けられるブラウザページおよび／または注文ページにおけるユーザによるプレイバック操作（例えば、クリックしてプレイバック）に応答してクライアントにより生成されるプレイバック要求を受信するように構成され、および／または、購入される指定製品上のＱＲコードをユーザがスキャンすることに応答してクライアントにより生成されるプレイバック要求を受信するように構成される。
【０１００】
図９は、本開示の幾つかの実施形態に係る製品トレーサビリティチェーン情報を処理するための装置を示すブロック図である。幾つかの実施形態において、製品トレーサビリティチェーン情報を処理するための装置は、図７の装置を含む。幾つかの実施形態では、図９に示されるように、装置は更に、指定製品のトレーサビリティビデオを定期的に生成し、かつ、使用中のトレーサビリティビデオを更新するように構成されるビデオ更新モジュール（９１０）を含む。
【０１０１】
本開示の複数の実施形態によれば、製品トレーサビリティチェーン情報を処理するための装置を用いて、消費者は、製品のトレーサビリティビデオのプレイバック要求を、クライアントを介してサーバに送信し、サーバは、受信されたビデオプレイバック要求に基づいて製品のカスタマイズトレーサビリティビデオを自動的に対応付けし、そのトレーサビリティビデオを再生のために対応するクライアントへ伝送する。このように、対応する製品のトレーサビリティチェーン情報を、消費者により購入される製品に基づいてカスタマイズ方式で提供することによって、製品の信頼性および魅力が高まる。
【０１０２】
図１０は、本開示の幾つかの実施形態に基づく電子デバイスを示すブロック図である。幾つかの実施形態では、図７に上記した製品トレーサビリティチェーン情報を処理するための装置は、電子デバイスにより実装される。幾つかの実施形態では、本明細書の図１０に示されるように、電子デバイスは、メモリ（１０１）およびプロセッサ（１０２）を含む。
【０１０３】
メモリ（１０１）は、プログラムを記憶するように構成される。
【０１０４】
幾つかの実施形態では、上記のプログラムに加えて、メモリ（１０１）は更に、電子デバイス上の操作をサポートするための様々な追加データを記憶するように構成される。係るデータの例には、電子デバイス上で実行される任意のアプリケーションまたは操作に関する命令、連絡先データ、電話帳データ、メッセージ、写真、ビデオなどが含まれる。
【０１０５】
様々な実施形態において、メモリ（１０１）は、スタティックランダムアクセスメモリ（ＳＲＡＭ）、電気的消去可能プログラマブルリードオンリメモリ（ＥＥＰＲＯＭ）、消去可能プログラマブルリードオンリメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスク、または光ディスクなどの任意のタイプの揮発性または不揮発性の記憶デバイス、またはそれらの組み合わせにより実装される。
【０１０６】
プロセッサ（１０２）は、メモリ（１０１）に結合されるように構成され、メモリ（１０１）内のプログラムを実行することで、関連する画像情報および関連するビデオ情報の一方または両方を、指定製品のトレーサビリティチェーンの各処理段階で取得し、かつ、関連する画像情報および関連するビデオ情報の一方または両方を、指定製品のトレーサビリティチェーンの各処理段階で接合して、指定製品のトレーサビリティビデオを生成するように構成される。
【０１０７】
様々な実施形態によれば、上記の実施形態と実質的に同様の処理動作については、本明細書で繰り返さない。
【０１０８】
幾つかの実施形態では、図１０に示されるように、電子デバイスは更に、通信部品（１０３）、電力供給部品（１０４）、音声部品（１０５）、ディスプレイ（１０６）、および他の部品を含む。図１０は、電子デバイスの幾つかの部品を概略的に示したものに過ぎず、電子デバイスが、図１０に示される部品のみを含むことを意味しているわけではない。
【０１０９】
通信部品（１０３）は、電子デバイスと他のデバイスとの間の有線通信または無線通信を促進するように構成される。電子デバイスは、Ｗｉ−Ｆｉ（登録商標）、２Ｇ、３Ｇ、４Ｇ、５Ｇ、６Ｇ、またはそれらの組み合わせなどの通信規格に基づいて、無線ネットワークにアクセスすることができる。例示的な一実施形態において、通信部品（１０３）は、ブロードキャスト信号またはブロードキャスト関連情報を、外部のブロードキャスト管理システムからブロードキャストチャネルを介して受信する。例示的な一実施形態において、通信部品（１０３）は更に、近距離通信を促進するための近距離無線通信（ＮＦＣ）モジュールを含む。例えば、ＮＦＣモジュールは、無線自動識別（ＲＦＩＤ）技術、赤外線通信協会（ＩｒＤＡ）技術、超広帯域（ＵＷＢ）技術、Ｂｌｕｅｔｏｏｔｈ（登録商標）（ＢＴ）技術、および他の技術に基づいて実装され得る。
【０１１０】
電力供給部品（１０４）は、電子デバイスの様々な部品に電力を供給する。電力供給部品（１０４）は、電力管理システムと、１または複数の電源と、電子デバイス用の電力の生成、管理、および分配に関連付けられる他の部品とを含み得る。
【０１１１】
音声部品（１０５）は、音声信号を出力および／または入力するように構成される。例えば、音声部品（１０５）は、電子デバイスが、呼び出しモード、記録モード、および言語認識モードなどの動作モードにあるときに外部音声信号を受信するように構成されるマイク（ＭＩＣ）を含む。受信された音声信号は更に、メモリ（１０１）に記憶されるか、または通信部品（１０３）を介して送信され得る。幾つかの実施形態において、音声部品（１０５）は更に、音声信号を出力するように構成されるスピーカを含む。
【０１１２】
ディスプレイ（１０６）は、液晶ディスプレイ（ＬＣＤ）とタッチパネル（ＴＰ）とを含むスクリーンを有し得る。スクリーンがタッチパネルを含む場合は、スクリーンは、ユーザから入力信号を受信するためのタッチスクリーンとして実装され得る。タッチパネルは、タッチパネル上のタッチ、スワイプ、およびジェスチャを感知するための１または複数のタッチセンサを含む。タッチセンサは、タッチ行為またはスワイプ行為の境界を感知するだけでなく、タッチ操作またはスワイプ操作に関連する持続時間および圧力を検出することもできる。
【０１１３】
図１１は、本開示の幾つかの実施形態に係る電子デバイスを示すブロック図である。幾つかの実施形態では、図８に上記した製品トレーサビリティチェーン情報を処理するための装置は、電子デバイスにより実装される。幾つかの実施形態では、本明細書に示されるように、電子デバイスは、メモリ（１１１）およびプロセッサ（１１２）を含む。
【０１１４】
メモリ（１１１）は、プログラムを記憶するように構成される。
【０１１５】
幾つかの実施形態では、上記のプログラムに加えて、メモリ（１１１）は更に、電子デバイス上の操作をサポートするための様々な他のデータを記憶するように構成される。このデータの例には、電子デバイス上で実行される任意のアプリケーションまたは操作に関する命令、連絡先データ、電話帳データ、メッセージ、写真、ビデオなどが含まれる。
【０１１６】
幾つかの実施形態において、メモリ（１１１）は、スタティックランダムアクセスメモリ（ＳＲＡＭ）、電気的消去可能プログラマブルリードオンリメモリ（ＥＥＰＲＯＭ）、消去可能プログラマブルリードオンリメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスク、または光ディスクなどの任意のタイプの揮発性または不揮発性の記憶デバイス、またはそれらの組み合わせにより実装される。
【０１１７】
プロセッサ（１１２）は、メモリ（１１１）に結合されてメモリ（１１１）内のプログラムを実行することで、指定製品のトレーサビリティビデオのプレイバック要求をクライアントから受信することと、プレイバック要求に基づいて、指定製品のトレーサビリティチェーン情報用に予めキャプチャされたトレーサビリティビデオをクライアントに伝送することであって、トレーサビリティビデオは、クライアントで再生される、伝送することとを行うように構成される。
【０１１８】
様々な実施形態によれば、上記の実施形態と実質的に同様の処理動作については、本明細書で繰り返さない。
【０１１９】
幾つかの実施形態では、図１１に示されるように、電子デバイスは更に、通信部品（１１３）、電力供給部品（１１４）、音声部品（１１５）、ディスプレイ（１１６）、および他の部品を含む。図１０は、電子デバイスの幾つかの部品を概略的に示したものに過ぎず、電子デバイスが、図１０に示される部品のみを含むことを意味しているわけではない。
【０１２０】
通信部品（１１３）は、電子デバイスと他のデバイスとの間の有線通信または無線通信を促進するように構成される。電子デバイスは、Ｗｉ−Ｆｉ、２Ｇ、３Ｇ、４Ｇ、５Ｇ、６Ｇ、またはそれらの組み合わせなどの通信規格に基づいて、無線ネットワークにアクセスすることができる。例示的な一実施形態において、通信部品（１１３）は、ブロードキャスト信号またはブロードキャスト関連情報を、外部のブロードキャスト管理システムからブロードキャストチャネルを介して受信する。例示的な一実施形態において、通信部品（１１３）は更に、近距離通信を促進するための近距離無線通信（ＮＦＣ）モジュールを含む。例えば、ＮＦＣモジュールは、無線自動識別（ＲＦＩＤ）技術、赤外線通信協会（ＩｒＤＡ）技術、超広帯域（ＵＷＢ）技術、Ｂｌｕｅｔｏｏｔｈ（ＢＴ）技術、および他の技術に基づいて実装され得る。
【０１２１】
電力供給部品（１１４）は、電子デバイスの様々な部品に電力を供給する。電力供給部品（１１４）は、電力管理システムと、１または複数の電源と、電子デバイス用の電力の生成、管理、および分配に関連付けられる他の部品とを含み得る。
【０１２２】
音声部品（１１５）は、音声信号を出力および／または入力するように構成される。例えば、音声部品（１１５）は、電子デバイスが、呼び出しモード、記録モード、および言語認識モードなどの動作モードにあるときに外部音声信号を受信するように構成されるマイク（ＭＩＣ）を含む。受信された音声信号は更に、メモリ（１１１）に記憶されるか、または通信部品（１１３）を介して送信され得る。幾つかの実施形態において、音声部品（１１５）は更に、音声信号を出力するように構成されるスピーカを含む。
【０１２３】
ディスプレイ（１１６）は、液晶ディスプレイ（ＬＣＤ）とタッチパネル（ＴＰ）とを含むスクリーンを有し得る。スクリーンがタッチパネルを含む場合は、スクリーンは、ユーザから入力信号を受信するためのタッチスクリーンとして実装され得る。タッチパネルは、タッチパネル上のタッチ、スワイプ、およびジェスチャを感知するための１または複数のタッチセンサを含む。タッチセンサは、タッチ行為またはスワイプ行為の境界を感知するだけでなく、タッチ操作またはスワイプ操作に関連する持続時間および圧力を検出することもできる。
【０１２４】
当業者は、上記の実施形態における方法を実装するための段階の全部または一部が、プログラム命令に関連するハードウェアにより達成され得ることを理解することができる。上述のプログラムは、コンピュータ可読記憶媒体に記憶され得る。実行時に、プログラムは、上記の実施形態における方法の段階を実行し、上述の記憶媒体は、ＲＯＭ、ＲＡＭ、磁気ディスク、または光ディスクなどの、プログラムコードを記憶できる様々な媒体を含む。
【０１２５】
最後に、上記の実施形態は、本願の技術的解決策を限定するのではなく、説明するために使用されているに過ぎないことに留意されたい。本願は上述の実施形態を参照しながら詳細に説明されているが、当業者は、上述の実施形態に記載の技術的解決策が依然として修正され得るか、または、その中の技術的特徴の一部または全てに対して同等の置換が行われ得ることを理解するはずである。これらの修正または置換は、対応する技術的解決策の本質を、本願の実施形態における技術的解決策の範囲から逸脱させるものではない。
【図１】
2021525909.tif 000003
【図２】
2021525909.tif 000004
【図３】
2021525909.tif 000005
【図４】
2021525909.tif 000006
【図５】
2021525909.tif 000007
【図６】
2021525909.tif 000008
【図７】
2021525909.tif 000009
【図８】
2021525909.tif 000010
【図９】
2021525909.tif 000011
【図１０】
2021525909.tif 000012
【図１１】
2021525909.tif 000013
【国際調査報告】
2021525909.tif 000014
2021525909.tif 000015
2021525909.tif 000016
2021525909.tif 000017